(57)【要約】通信局を用いてデータ・キャリア（２）を整理分類する方法であって、前記通信局および各データ・キャリア（２）は通信接続で結ばれており、前記通信局と通信接続で結ばれた各データ・キャリア（２）は、少なくとも１つの動作可能な条件が満たされた後にデータ・キャリアの整理分類を可能にする応答信号（ＩＤＳ）を生成することができ、複数の伝送開始時間（ｔ５，ｔ６）から選択できる伝送開始時間を使用して生成された応答信号（ＩＤＳ）を供給することができ、各データ・キャリアは別のデータ・キャリアがすでにその応答信号（ＩＤＳ）を提供しているかどうかを検査する。各データ・キャリア（２）は続いて別のデータ・キャリア（２）がすでにその応答信号（ＩＤＳ）を供給している場合はその応答信号（ＩＤＳ）の生成または提供を中止する。
2005538466.tif 000002
【特許請求の範囲】
【請求項１】
通信局を用いてデータ・キャリアを整理分類する方法であって、
前記通信局および各データ・キャリアは通信接続で結ばれており、
前記通信局と通信接続で結ばれた各データ・キャリアは、少なくとも１つの動作可能な条件が満たされた後にデータ・キャリアの整理分類を可能にする応答信号を生成し、複数の伝送開始時間から選択できる伝送開始時間を使用して前記応答信号を供給しており、
各データ・キャリアはその応答信号を提供する前に別のデータ・キャリアがすでにその応答信号を提供しているかどうかを検査すると共に、
各データ・キャリアは別のデータ・キャリアがすでにその応答信号を発している場合はその応答信号の提供を中止する方法。
【請求項２】
各データ・キャリアはその応答信号を提供する前に別のデータ・キャリアがその応答信号を発しているどうかを検査すると共に、
各データ・キャリアは別のデータ・キャリアがすでにその応答信号を発している場合はその応答信号の生成を中止する請求項１に記載の方法。
【請求項３】
前記応答信号は識別信号である請求項１または請求項２に記載の方法。
【請求項４】
前記伝送開始時間はランダムな原則によって選択される請求項１または請求項２に記載の方法。
【請求項５】
前記伝送開始時間は、前記通信局により発せられたコマンド信号のコマンド信号終了について選択可能な離散的遅延時間により時間的にシフトされる請求項１または請求項２に記載の方法。
【請求項６】
前記選択可能な伝送開始時間の数は、前記データ・キャリアの数よりも大きい請求項１または請求項２に記載の方法。
【請求項７】
応答信号を発したデータ・キャリアは、前記通信局により初期状態へと設定可能であり、この初期状態において応答信号は供給されていない請求項１に記載の方法。
【請求項８】
通信局との非接触通信のために設計され、集積回路を備えるデータ・キャリアであって、前記集積回路は、応答信号を生成するための応答信号生成手段および伝送開始時間を複数の伝送開始時間から選択できる開始時間選択手段と、別のデータ・キャリアによって発せられた応答信号を認識して信号認識信号を生成して発するように設計された応答信号認識手段とを備え、応答信号認識信号および伝送開始時間に応じて応答信号の搬送をリリースまたはブロックする搬送決定手段が提供されることを特徴とするデータ・キャリア。
【請求項９】
前記応答信号生成手段は、識別信号生成手段により構成されている請求項８に記載のデータ・キャリア。
【請求項１０】
前記応答信号認識手段は、キャリア信号を認識するために設計されている請求項８または請求項９に記載のデータ・キャリア。
【請求項１１】
前記応答信号認識手段は、変調キャリア信号を認識するために設計されていると共に、このために、変調キャリア信号を認識するために設計された変調手段を備えている請求項８または請求項９に記載のデータ・キャリア。
【請求項１２】
データ・キャリアのための集積回路であって、データ・キャリアは通信局との非接触通信のために設計され、前記集積回路は、応答信号を生成するための応答信号生成手段および伝送開始時間を複数の伝送開始時間から選択できる開始時間選択手段と、別のデータ・キャリアによって発せられた応答信号を認識して信号認識信号を生成して発するように設計された応答信号認識手段とを備え、応答信号認識信号および伝送開始時間に応じて応答信号の搬送をリリースまたはブロックする搬送決定手段が提供される集積回路。
【請求項１３】
前記応答信号生成手段は、識別信号生成手段により構成されている請求項１２に記載の集積回路。
【請求項１４】
前記応答信号認識手段は、キャリア信号を認識するために設計されている請求項１２または請求項１３に記載の集積回路。
【請求項１５】
前記応答信号認識手段は、変調キャリア信号を認識するために設計されていると共に、このために、変調キャリア信号を認識するために設計された変調手段を備えている請求項１２または請求項１３に記載の集積回路。
【発明の詳細な説明】
【技術分野】
【０００１】
本発明は、通信局によりデータ・キャリアを整理分類する［inventorying―棚卸しする・目録を作成する―］方法に関する。前記通信局および各データ・キャリアは通信接続で結ばれ、通信局と通信接続で結ばれた各データ・キャリアは、少なくとも１つの動作可能な条件が満たされた後にデータ・キャリアの整理分類を可能にする応答信号を生成し、複数の伝送開始時間［transmission start moment］から選択できる伝送開始時間を使用して前記応答信号を供給する。
【０００２】
本発明はさらに、通信局との非接触通信のために設計され、集積回路を備えるデータ・キャリアに関する。集積回路は、応答信号を生成するための応答信号生成手段と、伝送開始時間を複数の伝送開始時間から選択できる開始時間選択手段とを備えている。
【０００３】
本発明はさらに、データ・キャリアのための集積回路に関し、データ・キャリアは通信局との非接触通信のために設計され、前記集積回路は、応答信号を生成するための応答信号生成手段と、伝送開始時間を複数の伝送開始時間から選択できる開始時間選択手段とを備えている。
【背景技術】
【０００４】
上記の第１のパラグラフで説明されている方法、第２のパラグラフで説明されているデータ・キャリア、および第３のパラグラフで説明されている集積回路は、文献ＥＰ  ０  ９５７  ４４２Ｂから周知である。この周知の文献では、通信局によってデータ・キャリアを整理分類する方法を開示しており、方法は多くの場合、衝突防止方法または衝突防止手順と示される。多くの場合読み取り局と示される通信局およびデータ・キャリアは、通信局が通信フィールドに存在しているすべてのデータ・キャリアに照会情報を送信するよう通信接続で結ばれる。通信フィールドに存在するデータ・キャリアの十分なエネルギー供給および各データ・キャリアにおける照会情報の完璧な受信はそれぞれ、各々のデータ・キャリアが関連データ・キャリアの整理分類を可能にする応答信号を生成する前に達成すべき動作条件を構成している。照会情報は、読み取り局およびデータ・キャリア双方における一連のＮ連続時間ウィンドウの開始を初期化する。Ｎ時間ウィンドウの各々は、固定または可変にすることができる所定の時間ウィンドウ継続期間を備えている。いくつかの一連のＮ連続時間ウィンドウは通常、完全な衝突防止手順で生成される。
【０００５】
既知のデータ・キャリアは各々、Ｎ時間ウィンドウの１つを戻り伝送時間ウィンドウとしてランダムに規定する乱数発生器を備えている。データ・キャリアは、それぞれのデータ・キャリアによって選択された戻り伝送時間ウィンドウで応答情報または応答信号を送信し、その応答信号はデータ・キャリアのシリアル番号を含むため、データ・キャリアを明白に特徴付ける。読み取り局は、現在の時間ウィンドウから次の時間ウィンドウに切り替えが行われるように、各時間ウィンドウの最後に時間ウィンドウ切り替え情報を送信する。読み取り局は、次々にデータ・キャリアを識別し、その後、衝突防止方法の完了に続いて、毎回通信フィールド内のデータ・キャリアの１つと直接通信を構築して実施する。
【０００６】
既知の解決策は、常にすべての時間ウィンドウに作業しなければならないため、既知のデータ・キャリアを整理分類するための全トランザクション時間が比較的長いという欠点を伴っている。
【発明の開示】
【発明が解決しようとする課題】
【０００７】
本発明の目的は、上記の欠点を解消し、改良された方法、改良されたデータ・キャリア、および改良された集積回路を提供することである。
【課題を解決するための手段】
【０００８】
上記の目標を達成するため、発明の特徴が本発明による方法において提供されて、その結果、本発明による方法が以下のように特徴付けられる。
【０００９】
通信局によりデータ・キャリアを整理分類する方法であって、前記通信局および各データ・キャリアは通信接続で結ばれ、通信局と通信接続で結ばれた各データ・キャリアは、少なくとも１つの動作可能な条件が満たされた後にデータ・キャリアの整理分類を可能にする応答信号を生成し、複数の伝送開始時間から選択できる伝送開始時間を使用して前記応答信号を供給し、各データ・キャリアはその応答信号を提供する前に別のデータ・キャリアがすでにその応答信号を提供しているかどうかを検査し、各データ・キャリアは別のデータ・キャリアがすでにその応答信号を発している場合はその応答信号の提供を中止することを特徴とする方法。
【００１０】
上記の目標を達成するため、発明の特徴が本発明によるデータ・キャリアにおいて提供され、その結果、本発明によるデータ・キャリアが以下のように特徴付けられる。
【００１１】
通信局との非接触通信のために設計され、集積回路を備えるデータ・キャリアであって、集積回路は、応答信号を生成するための応答信号生成手段および伝送開始時間を複数の伝送開始時間から選択できる開始時間選択手段と、別のデータ・キャリアによって発せられた応答信号を認識して信号認識信号を生成して発するように設計された応答信号認識手段とを備え、応答信号認識信号および伝送開始時間に応じて応答信号の搬送をリリースまたはブロックする搬送決定手段が提供されることを特徴とするデータ・キャリア。
【００１２】
上記の目標を達成するため、発明の特徴が本発明による集積回路において提供され、その結果、本発明による集積回路が以下のように特徴付けられる。
【００１３】
データ・キャリアのための集積回路であって、データ・キャリアは通信局との非接触通信のために設計され、前記集積回路は、応答信号を生成するための応答信号生成手段および伝送開始時間を複数の伝送開始時間から選択できる開始時間選択手段と、別のデータ・キャリアによって発せられた応答信号を認識して信号認識信号を生成して発するように設計された応答信号認識手段とを備え、応答信号認識信号および伝送開始時間に応じて応答信号の搬送をリリースまたはブロックする搬送決定手段が提供されることを特徴とする集積回路。
【００１４】
本発明の特徴を有利にしかも簡単な方法で提供することで、データ・キャリアの整理分類を極めて高速に行うことができる。これは特に、通信局と通信接続で結ばれるデータ・キャリアが、通信局と通信接続で結ばれる他のデータ・キャリアに反応するという点において達成される。すなわち、前記データ・キャリアは、他のデータ・キャリアがその伝送開始時間にすでに応答信号を発している場合に、前のデータ・キャリアだけがその応答信号を発するように、他のデータ・キャリアの１つがすでに応答信号を発しているかどうかを検査する。
【００１５】
本発明の特徴はさらに、たとえば通信局と通信接続で結ばれる少数のデータ・キャリアの場合、応答信号が比較的高い確率で最短可能時間内に取得できるということを有利に達成するが、これは多くの応用例において望ましく、非常に有利である。
【００１６】
他のデータ・キャリアがすでにその応答信号を発しているかどうかに関する検査は、本発明による解決策において各データ・キャリアの応答信号の搬送の直前に行うことができる。ただし、検査は、たとえば応答信号の生成の直後など、早期に行うこともできる。他のデータ・キャリアがその応答信号をすでに発している場合に各データ・キャリアがその応答信号の生成を中止するように、各データ・キャリアがその応答信号を生成する前にすでに他のデータ・キャリアがその応答信号を発しているかどうか検査する場合、これは特に有利であることが判明した。これは、各データ・キャリアの非常にエネルギー節約的な動作を達成する上で有利である。
【００１７】
本発明による解決策において、応答信号は認証信号によって形成することができる。識別信号が応答信号として生成される場合、これは極めて有利であることが判明した。この場合には、応答信号生成手段は識別信号生成手段によって形成される。これは特に、可能な限り簡単に回路装置を得る上で、技術的に有利である。
【００１８】
請求項４に記載の手段は、伝送開始時間が比較的簡単な方法で決められるという利点をもたらす。
【００１９】
請求項５に記載の手段は、待機時間が正確に定義されるという利点をもたらす。これは、通信局の交信距離内にデータ・キャリアが存在しない場合に、特に重要かつ有利である。
【００２０】
請求項６に記載の手段は、データ・キャリアの同一の伝送開始時間によって生じる頻繁な衝突が回避されるという利点をもたらす。
【００２１】
さらに、請求項７に記載の手段は、すでに整理分類されたデータ・キャリアが、さらなるデータ・キャリアの整理分類中に整理分類プロセスにおいてそれ以降は加わらないことを有利に達成し、これは整理分類を可能な限り迅速に行う上で非常に有利である。
【００２２】
さらに、請求項１０および請求項１４に記載の手段は、データ・キャリアによって発せられた応答信号の認識が、応答信号と共に搬送されるキャリア信号が認識されるという点で、比較的簡単な手段によって達成できるという利点をもたらす。
【００２３】
さらに、請求項１１および請求項１５に記載の手段は、データ・キャリアも通信局として構築される場合、応答信号の認識が比較的簡単な手段によって達成できるという利点をもたらす。
【００２４】
本発明の上記および他の多くの態様は、以下の実施形態の説明により明らかとなり、本実施形態を参照して明確になるであろう。
【００２５】
本発明は、図に示された実施形態を参照して以下で詳細に説明されるが、これにより本発明が限定されることはない。
【発明を実施するための最良の形態】
【００２６】
図１は、データ・キャリア２を示している。データ・キャリア２は、通信局（図示せず）との非接触通信のために設計されている。複数のデータ・キャリア２は、データ・キャリア２が通信局の交信距離内にあるように通常の応用例において通信局と通信接続されている。各データ・キャリア２に含まれるデータの読み取り、または各データ・キャリア２への書き込みが行われる前に、データ・キャリア２と非接触の方法で通信する通信局により複数のデータ・キャリア２のいわゆる整理分類を実行する必要がある。そのような整理分類プロセス中に、それぞれのデータ・キャリア２にとって重要な識別データＩＤは、それぞれのデータ・キャリア２によって通信局に伝送され、たとえば各データ・キャリア２の通信局に格納されて、通信局と通信接続されているすべてのデータ・キャリア２の識別データＩＤが通信局において既知であるようになっており、そのため通信局が、このデータ・キャリア２に特有の識別データＩＤの使用を通じて目的優先の非交換可能な方法でそれぞれのデータ・キャリア２と接触することができるようになる。識別データＩＤは、通信局と通信接続で結ぶことのできるすべてのデータ・キャリア２に対しては決定されないが、最初に応答するデータ・キャリア２の識別データＩＤは十分であることに留意されたい。
【００２７】
データ・キャリア２は、集積回路３および伝送コイル２５を備えており、伝送コイル２５は集積回路３の第１の端子２６および第２の端子２７に接続されている。データ・キャリア２は、伝送コイル２５により通信局と非接触の方法で通信することができる。集積回路３の一部を形成するキャパシタ２８は、伝送コイル２５と並列に接続されている。伝送コイル２５およびキャパシタ２８は、動作周波数に調整され、データ・キャリア伝送手段２９の一部を形成する同調回路を形成する。伝送コイル２５の代わりに、データ・キャリア伝送手段２９は伝送のための双極子を備えることができる。容量的または光学的に動作するデータ・キャリア伝送手段２９は、代替として、伝送コイル２５または双極子によるデータ・キャリア伝送手段２９に代えて提供することができる。
【００２８】
データ・キャリア２の集積回路３およびデータ・キャリア２は、供給電圧発生手段３０、クロック信号再発生手段３１、応答信号認識手段２０、復調手段３２、および変調手段３３を備えている。前記５つの手段３１、３１、２０、３２、および３３は、それぞれデータ・キャリア伝送手段２９に接続されている。
【００２９】
供給電圧発生手段３０は、データ・キャリア伝送手段２９によって搬送される信号を使用することにより、つまり、たとえば変調コード化コマンドＭＣＣＯを使用して、または変調キャリア信号ＣＳを使用して、供給電圧Ｖを生成する役割を果たす。供給電圧発生手段３０によって生成できる供給電圧Ｖは、この供給電圧Ｖを必要とする集積回路３のすべての構成部品に供給することができるが、これは図２において個別には示されていない。「電源投入」認識手段３４は、供給電圧発生手段３０に接続され、この手段３４には供給電圧発生手段３０の出力信号、つまり瞬時に発生された供給電圧Ｖを供給することができる。「電源投入」認識手段３４は、十分に高い供給電圧Ｖが使用可能であるかどうかを認識することができる。そのような十分に高い供給電圧Ｖが使用可能である場合、「電源投入」認識手段３４は、「電源投入」リセット信号ＰＯＲを搬送する。
【００３０】
クロック信号再生成手段３１は、データ・キャリア伝送手段２９によって搬送される信号を使用することにより、つまり、たとえば変調コード化コマンドＭＣＣＯを使用して、または無変調キャリア信号ＣＳを使用して、クロック信号ＣＬＫを再生成する役割を果たす。クロック信号再生成手段３１は、クロック信号ＣＬＫを供給する。クロック信号再生成手段３１の代わりに、データ・キャリア伝送手段２９によって供給される信号から独立した内部発振器を提供することができ、それによりクロック信号ＣＬＫを生成することができる。そのような内部発振器は、通信局およびデータ・キャリア間の通信が、非常に高い動作周波数、たとえばいわゆるＵＨＦ領域またはマイクロ波領域の動作周波数で行われる場合は、特に有利である。
【００３１】
復調手段３２は、たとえば変調コード化コマンドＭＣＣＯを復調するなど、供給されたコマンドおよび信号を復調する役割を果たす。変調コード化コマンドＭＣＣＯの復調が完了した後、復調手段３３はコード化コマンドＣＣＯを供給する。
【００３２】
変調手段３３は、たとえば変調手段３３に供給できるコード化識別信号ＣＩＤＳを変調するなど、信号を変調する役割を果たす。さらに、副搬送波信号ＳＣＳは、変調手段３３に供給することができる。副搬送波信号発生器３５は、副搬送波信号ＳＣＳを生成するために提供され、この発生器３５にはクロック信号再生成手段３１によりクロック信号ＣＬＫが供給され、この発生器３５はクロック信号ＣＬＫを使用することにより副搬送波信号ＳＣＳを生成する。変調が実行されると、副搬送波信号ＳＣＳは、たとえばコード化識別信号ＣＩＤＳに応じて変調手段３３によって変調され、その結果として変調手段３３は、データ・キャリア伝送手段２９、特にこの場合は伝送コイル２５によって、通信局に引き続き伝送される変調コード化識別信号ＭＣＩＤＳを供給する。
【００３３】
データ・キャリア２の集積回路３、およびデータ・キャリア２は、マイクロコンピュータ３６を備えている。ハードワイヤード論理回路を、マイクロコンピュータ３６の代わりに提供することができる。マイクロコンピュータ３６は、一連の手段および機能を認識する役割を果たすが、本発明のコンテクストにおいて重要なこれらの手段および機能についてのみ、以下で詳細に説明する。「電源投入」リセット信号ＰＯＲおよびクロック信号ＣＬＫは、当業者には長きにわたり周知の目的のために、マイクロコンピュータ３６に供給することができる。
【００３４】
集積回路３はさらに、リンク３８を介してマイクロコンピュータ３８に接続されているストレージ手段３７を備えている。ストレージ手段３７はアドレス可能メモリ６１を備えており、アドレス可能メモリ６１は、１つのメモリ位置３９のみが鎖線で識別されている複数のメモリ位置を備えている。データ・キャリア２に重要な一意の識別データＩＤは、メモリ位置３９に格納される。一連のそれ以降のデータはストレージ手段３７に格納されるが、このことについてはこれ以上詳細には説明しない。
【００３５】
デコーディング手段４０およびコーディング手段４１は、マイクロコンピュータ３６により実現される。デコーディング手段４０は、たとえばコード化コマンドＣＣＯをデコードするなど、供給されたコマンドおよび信号をデコードするために設計される。コード化コマンドＣＣＯがデコードされた後、デコーディング手段４０は、たとえばインベントリ［inventory―棚卸し・整理分類―］・コマンドＩＮＶＣＯなどのデコードされたコマンドを供給する。コーディング手段４１は、たとえば識別信号ＩＤＳをコード化するなど、信号をコード化する役割を果たす。識別信号ＩＤＳがコード化された後、コーディング手段４１はコード化識別信号ＣＩＤＳを供給する。
【００３６】
さらに、識別信号生成手段４４、開始時間定義手段４５、および決定手段５０は、マイクロコンピュータ３６により実現される。手段４４、４５、および５０の機能については、以下でさらに詳細に説明する。
【００３７】
マイクロコンピュータ３６はさらに、特にデータ・キャリア２の整理分類に関連する、マイクロコンピュータ３６で実行される制御プロセスを行うことのできるプロセス制御手段４７を備えている。
【００３８】
識別信号生成手段４４は、識別信号ＩＤＳを生成する役割を果たす。ストレージ手段３７のメモリ位置３９から読み取られた識別データＩＤは、この識別信号ＩＤＳが生成されるように、プロセス制御手段４７により識別信号生成手段４４に供給される。識別信号ＩＤＳは、識別データＩＤ、およびセキュリティデータなどの追加データから生成される。ここで、識別信号生成手段４４は応答信号が生成される応答信号生成手段を同時に形成するが、この場合は識別データＩＤからも生成されて識別信号ＩＤＳによって形成され、応答信号が識別信号ＩＤＳとは異なることがあるため、これが必ずしもあてはまる必要はないことに留意されたい。識別信号生成手段４４によって生成される識別信号ＩＤＳは、整理分類の目的でデータ・キャリア２から通信局に伝送される必要がある。
【００３９】
プロセス制御手段４７は、デコーディング手段４０によって発せられたコマンドの中のインベントリ・コマンドＩＮＶＣＯの認識に続いて、開始時間定義手段４５が複数の伝送開始時間から伝送開始時間を確実に選択し、この選択がランダム生成器により行われることを保証するように構築される。開始時間定義手段４５が、選択のために識別データＩＤの少なくとも一部を使用することもでき、この場合、識別データＩＤのかなりの部分に依存するそのような伝送開始時間がプロセス制御手段４７で実装されるアルゴリズムによって選択されることに留意されたい。
【００４０】
通信局によりデータ・キャリア２を整理分類するための方法またはプロセスは、図２を参照して以下に説明する。通信局およびデータ・キャリアの通信信号の時間系列が示されている。
【００４１】
２つのデータ・キャリアＤＣ−ＡおよびＤＣ−Ｂの合計、および１つの通信局ＳＴＡＴＩＯＮは、データ・キャリア２を整理分類する方法の開始時点において共通通信領域に存在すると仮定する。データ・キャリアＤＣ−ＡおよびＤＣ−Ｂを整理分類する方法のこの開始時点において、通信局ＳＴＡＴＩＯＮは、定義されている伝送プロトコルに従ってインベントリ・コマンドＩＮＶＣＯを生成して、それをすべてのデータ・キャリア２に伝送する。これは高周波フィールドまたはキャリア信号を伝送することによって時間ｔ１において開始し、時間ｔ２から時間ｔ３までインベントリ・コマンドＩＮＶＣＯが送信される。高周波フィールドは、時間ｔ４まで保持される。時間ｔ２から時間ｔ３までの期間中、インベントリ・コマンドＩＮＶＣＯは、データ・キャリア２のデータ・キャリア伝送手段２９、復調手段３２、およびデコーディング手段４０を参照して上記で説明されているように、データ・キャリアＤＣ−ＡおよびＤＣ−Ｂで受け取られる。時間ｔ１およびｔ２の間の時間は、データ・キャリアＤＣ−ＡおよびＤＣ−Ｂをいわゆる電源遮断モードから移行ために必要であり、ここでデータ・キャリア２は初期化される。ここで説明しているデータ・キャリアＤＣ−ＡおよびＤＣ−Ｂはいわゆる受動データ・キャリアであるため、この時間は、供給電圧Ｖを生成または引き上げるためにも必要である。
【００４２】
時間ｔ４において、つまりデータ・キャリアＤＣ−ＡおよびＤＣ−Ｂのインベントリ・コマンドＩＮＶＣＯの認識後に、伝送開始時間は各々について決定される。データ・キャリアＤＣ−Ａの時間チャートから明らかなように、伝送開始時間ｔ５は、データ・キャリアＤＣ−Ａの開始時間定義手段４５によって選択された。この場合の伝送開始時間は、時間ｔ４から始めて、選択可能な離散的遅延期間ＴＤと待機時間数Ｔｗの合計から導かれる。待機時間数Ｔｗは、開始時間定義手段４５により、前述のようにランダムな原則によって決定される。この場合、最大３つの待機時間数Ｔｗまで選択することができ、２つの待機時間Ｔｗがデータ・キャリアＤＣ−Ａに選択されている。待機時間数Ｔｗは、応用例に応じて大きく変わる場合があり、その結果、頻繁な衝突を回避するために、選択可能な待機時間Ｔｗの最大数は、通信局と共通の交信距離に存在するデータ・キャリア２の最大数の２倍であることが有利であることに留意されたい。
【００４３】
データ・キャリアＤＣ−Ｂの時間チャートから明らかなように、伝送開始時間ｔ６は、このデータ・キャリアＤＣ−Ｂに対して選択された。伝送開始時間ｔ６は、時間ｔ５より後の１つの待機時間Ｔｗである。
【００４４】
伝送開始時間が決定された後、共通交信距離に存在するさらなるデータ・キャリア２（この場合はデータ・キャリアＤＣ−Ｂ）が応答信号を送信しているかどうかは、時間ｔ５においてデータ・キャリアＤＣ−Ａで応答信号認識手段２０によって決定または検出される。次に応答信号認識手段２０（つまりこの場合は検出された応答信号）は、応答信号認識信号ＡＳＤＳをプロセス制御手段４７に供給する。応答信号認識信号ＡＳＤＳが提供されない場合には、応答信号生成手段４４は、前述のように識別信号ＩＤＳ−Ａを生成する。生成された識別信号ＩＤＳーＡは、搬送決定手段５０を介してコーディング手段４１に伝導され、最終的にデータ・キャリア伝送手段２９を介して搬送される。図２の対応する時間チャートにおいて、識別信号ＩＳＤ−Ａの搬送は、時間ｔ７および時間ｔ８の間に行われ、過渡現象は時間ｔ７の前および時間ｔ８の後から時間ｔ９までが考慮される。これらの過渡現象は、システムごとに大きく異なり、存在しない場合もある。
【００４５】
共通交信距離に存在するさらなるデータ・キャリア２（この場合はデータ・キャリアＤＣ−Ａ）が応答信号を送信しているかどうかは、時間ｔ６において応答信号認識手段２０によってデータ・キャリアＤＣ−Ｂで決定または検出される。この場合、データ・キャリアＤＣ−Ａによって発せられた応答信号は、提供された応答信号と共に発生する生成されたキャリア信号が認識されるという点で、認識または検出される。データ・キャリアＤＣ−Ｂの応答信号認識手段２０は、この場合応答信号認識信号ＡＳＤＳを生成する。データ・キャリアＤＣ−Ａはすでに時間ｔ６においてその応答信号を発しており、プロセス制御手段４７および搬送決定手段５０を介して応答信号認識信号ＡＳＤＳは、識別信号ＩＤＳ−Ｂが搬送決定手段５０を介してさらにコーディング手段４１および変調手段３３を介してデータ・キャリア伝送手段２９に供給されないように達成するからである。
【００４６】
したがって、これは前述の方法において有利に達成され、データ・キャリア（この場合はデータ・キャリアＤＣ−Ａ）が可能な限り短時間で通信局によって整理分類または選択されている。たとえばこれは、通信局が、少なくとも１つのデータ・キャリアが通信局の交信距離に入るとすぐにサービスを開始しなければならない場合に有利である。そのようなサービスは、たとえば、広告活動または何らかの類似した動作である。
【００４７】
必要に応じて、データ・キャリアＤＣ−Ｂは整理分類することができるようになり、その目的で通信局はもう１度インベントリ・コマンドＩＮＶＣＯを送信し、データ・キャリアＤＣ−Ｂは前述の方法により整理分類される。有利なことに、データ・キャリアＤＣ−Ａは、通信局がインベントリ・コマンドＩＮＶＣＯを提供する前にアイドル位置に設定され、そのアイドル位置においてデータ・キャリアＤＣーＡはインベントリ・コマンドＩＮＶＣＯにそれ以上反応することはない。
【００４８】
データ・キャリアＤＣーＡおよびＤＣ−Ｂで同じ伝送開始時間が決定され、それに応じて応答信号が同時に伝送される場合、通信局は、複数の応答信号を認識するため、インベントリを解釈するため、およびインベントリ・コマンドＩＮＶＣＯの新たな搬送または伝送によりインベントリを再始動するために構築される。
【００４９】
通信局がデータ・キャリアによって同時に形成され、この場合、そのようなデータ・キャリアは、他のデータ・キャリアと通信するための通信局と同様の手段を備えていることに留意されたい。
【００５０】
さらに、本発明による方法が複数の通信局の間で実装できることに留意されたい。
【図面の簡単な説明】
【００５１】
【図１】本発明による集積回路を備える、現在のコンテクストにおいて最も重要な本発明によるデータ・キャリアの一部を示すブロック図である。
【図２】整理分類手順中に発生するコマンドおよび信号を示す時間チャートである。
【図１】
2005538466.tif 000003
【図２】
2005538466.tif 000004
【国際調査報告】
2005538466.tif 000005
2005538466.tif 000006